(57)【要約】      （修正有）【課題】連続作動モード（ガス抜きモード，内容物連続噴射モード）設定機能を持つカバー体のデザイン上の制約をなくし、また、連続作動モードの設定操作における簡単化，確実化を図ることを目的とする。【解決手段】外部スリット６ｅに挟まっている誤操作防止用の連結片５ｇの薄肉部分５ｈを切り取り、容器本体１に対してカバー体６を回動する。操作ボタン４は、内側スリット６に案内されたリブ４ｄによりカバー体６と一体になって回動するので、その凸状部４ｃが螺旋状カム面５ｅ，５ｅ’に倣って（操作ボタン４は）押し下げられる。そして、凸状部４ｃが螺旋状カム面に続く水平状カム面５ｆまで移動して連続作動モードとなる。連続作動モードを解除させるにはカバー体６を逆方向に回動させればよい。【選択図】図１
2007284122.tif 000002
【特許請求の範囲】
【請求項１】
ステムと一体化してエアゾール式製品を通常の作動モードに設定するための操作ボタンを、少なくとも当該カバー体と容器側との間の回動操作をともなうことにより、作動モード対応位置に移動させて保持するようにした連続作動モード設定機構において、
前記操作ボタンに対する作動モード移行用の空間域および連続作動モードの保持部分を備えた基部を、回動しない態様で前記容器側に取り付け、
前記カバー体は、静止モードと作動モードとの間での前記操作ボタンの移動を許容して、前記回動操作の際には前記操作ボタンを一体化させる第１のガイド要素を備え、
前記操作ボタンは、前記第１のガイド要素に対応した第２のガイド要素および、作動モード設定操作に際しては前記保持部分から独立した形で移動し、前記回動操作に基づく連続作動モード設定後には当該保持部分に保持される被保持部分を備え、
前記基部および前記カバー体の一方に前記回動操作を阻止するための第１の規制要素を分離可能な形で設けるとともに、これらの他方に当該規制要素を受ける第２の規制要素を設け、
前記基部および前記カバー体の一方から前記第１の規制要素を分離してこれら相互間の回動操作阻止機能をなくすことにより、前記回動操作が可能となる、
ことを特徴とする連続作動モード設定機構。
【請求項２】
前記基部は、前記容器側のマウンティングキャップに嵌合する筒状部であり、
前記カバー体は、その操作ボタン保護用の内側筒状部に前記第１のガイド要素としてのスリット状部分を有し、
前記操作ボタンは、その周面部分に前記第２のガイド要素としての片部および前記被保持部分としての突状部を有している、
ことを特徴とする請求項１記載の連続作動モード設定機構。
【請求項３】
前記基部は、前記保持部分にいたる案内部分を有し、
前記案内部分および前記被保持部分は、前記回動操作の際にカム作用を呈して当該操作ボタンを作動モード対応位置に移動させるものである、
ことを特徴とする請求項１または２記載の連続作動モード設定機構。
【請求項４】
前記基部の保持部分および前記操作ボタンの被保持部分は、それぞれ係止面であり、
前記係止面のそれぞれに続く斜面を、前記回動操作の後で前記操作ボタンを押下げることにより被保持部分側斜面が保持部分側斜面を乗り越える態様で、形成した、
ことを特徴とする請求項１または２記載の連続作動モード設定機構。
【請求項５】
前記基部の保持部分および前記操作ボタンの被保持部分は、それぞれ静止モード位置の当該操作ボタンを押下げた後で前記回動操作を行なうことにより当該被保持部分が当該保持部分に係止されるための、係止面を有している、
ことを特徴とする請求項１または２記載の連続作動モード設定機構。
【請求項６】
請求項１乃至５の何れかに記載の連続作動モード設定機構を備え、かつ、噴射用ガスおよび内容物を収容した、
ことを特徴とするエアゾール式製品。
【発明の詳細な説明】
【技術分野】
【０００１】
本発明は、エアゾール式製品に用いられる連続作動モード設定機構などに関し、特にエアゾール式製品をその作動モードに設定する例えば上下動タイプの操作ボタンを、（操作ボタン保護用の）容器側に取り付けられたカバー体に対する回動操作により、その作動モード対応位置に簡単，確実に継続して保持できる、すなわちエアゾール式製品をガス抜き状態または内容物連続噴射状態の連続作動モードに設定できるようにしたものである。
【０００２】
本明細書では、
・「作動モード」の語を、操作ボタンに対する利用者の噴射操作といわば１対１の対応関係にたつ内容物噴射状態（エアゾール容器のバルブが開いて容器内部と外部空間とが連通した状態）を示す意で用い、
・「連続作動モード」の語を、利用者の噴射操作終了後もその操作ボタンがそれまでの操作位置に自己保持されたままとなって、ガス，内容物などが続けて噴射される連続噴射状態を示す意で用い、
・「静止モード」の語を、エアゾール容器のバルブが閉じて容器内部と外部空間とが連通していない状態を示す意で用い、
・「カバー体」の語を、エアゾール容器（マウンティングキャップなど）に取り付けられて、エアゾール式製品の通常の使用状態（作動モードなど）においても取り外されることのないタイプのカバー部材を示す意で用いる。
【０００３】
また、通常の作動モードにおける容器内容物の噴射孔の側を「前」とし、それとは容器平面図の中心を挟んで反対の側を「後」とする。すなわち図１の左側方向が「前」で、右側方向が「後」となる。
【０００４】
なお、エアゾール式製品の連続作動モードが設定された場合、容器内容物をまだ使い切っていないときは内容物連続噴射状態となり、容器内容物を略使い切っているときはガス抜き状態となる。
【０００５】
内容物連続噴射状態とガス抜き状態とはもっぱら用途上の違いにすぎず、エアゾール式製品の動作機構としては、これら各状態ともにアクチュエータ（操作部材，ステムなど）がその作動位置に継続的に保持されているものである。すなわち当該状態のそれぞれにおけるバルブ機構などの動作メカニズムの違いはない。
【０００６】
一般にガス抜きモードの設定は、使用済みエアゾール容器を廃棄するときに初めて必要となり、まだ容器に内容物が存在している通常の使用段階では不要なものである。
【０００７】
そのため、ガス抜きモード保持機構は、エアゾール式製品の通常の使用段階では内容物噴射動作の障害とならず、また利用者にとっていわば目障りにもならず、ガス抜きモードの設定操作自体は利用者が簡単に行えることが望ましい。
【０００８】
また、比較的長時間にわたってエアゾール式製品を連続噴射モードに設定する場合に、利用者がそのための操作自体を継続的に行わなくても済むことが望ましい。
【０００９】
連続作動モード位置への操作部材の設定はより正確であることが必要とされ、本発明はこのような要請にも応えるものである。
【背景技術】
【００１０】
従来、エアゾール容器のカバー体および、これから外れないように設けられた噴射ボタン（操作ボタン）の両者を静止モード・作動モードでの使用時とは上下逆にした状態で、カバー体のもともとの上端側を容器本体側（マウンティングキャップ）に嵌合させることにより、噴射ボタンの天面側でステムを作動モード対応位置まで押下げてエアゾール式製品のガス抜きモードを設定する噴射ボタン装置が提案されている（特許文献１参照）。
【００１１】
この噴射ボタン装置のカバー体は、その正立状態のみなならず倒立状態でも容器本体のマウンティングキャップに嵌合する。すなわち正立状態での嵌合により通常の静止・作動モードが設定され、倒立状態での嵌合によりガス抜きモードが設定される。
【００１２】
したがってカバー体は、下端側および上端側のそれぞれにマウンティングキャップ対応形状の嵌合部分を備えている。
【特許文献１】特開２００２−２９３３８８号公報
【発明の開示】
【発明が解決しようとする課題】
【００１３】
以上のエアゾール容器の噴射ボタン装置の場合、利用者の操作対象域であるカバー体上面側にも、カバー体下端側のマウンティングキャップ嵌合用の環状突状部と同様の形状部分を作成することが前提になっている。
【００１４】
そのため、カバー体（上面側）のデザイン設計上の自由度がきわめて小さくなり、またエアゾール容器に組み込む前のカバー体保管作業の際などに作業者がその上下関係を瞬時に判断しにくいなどの問題点があった。
【００１５】
また、カバー体を容器本体側からいったん外し、その上下を逆にした倒立状態でマウンティングキャップに再嵌合させると必然的にガス抜きモードとなってしまい、ガス抜きの準備状態（＝倒立カバー体はマウンティングキャップに嵌合し、かつ、ステムはまだ噴射ボタンで作動モード対応位置まで移動してない状態）を設定できず、ガス抜き操作の選択性，利便性にかけるという問題点があった。
【００１６】
そこで本発明では、回動可能な形で容器側に取り付けられたカバー体を容器側とのいわゆるバージン部材によって回動できない状態に保持しておき、ガス抜きなどの連続作動モードを設定する場合、先ずこの部材を例えば切り取ってからの（通常の正立状態の）カバー体と容器側との間の回動操作に基づいて操作ボタンが作動モード対応位置に保持されるようにしている。
【００１７】
これにより、連続作動モード設定機能を有するカバー体のデザイン上の制約をなくすとともに、連続作動モードの設定操作における簡単化，確実化を図ることを目的とする。
【課題を解決するための手段】
【００１８】
本発明は、以上の課題を次のようにして解決する。
（１）ステムと一体化してエアゾール式製品を通常の作動モードに設定するための操作ボタン（例えば後述の操作ボタン４，４(1)）を、少なくとも当該カバー体と容器側との間の回動操作をともなうことにより、作動モード対応位置に移動させて保持するようにした連続作動モード設定機構において、
前記操作ボタンに対する作動モード移行用の空間域（例えば後述の開口域５ｃ）および連続作動モードの保持部分（例えば後述の水平状カム面５ｆ，係止用底面５ｋ，係止用段部５ｍ）を備えた基部（例えば後述の筒状基部５，５(1)，５(2)）を、回動しない態様で前記容器側に取り付け、
前記カバー体は、静止モードと作動モードとの間での前記操作ボタンの移動を許容して、前記回動操作の際には前記操作ボタンを一体化させる第１のガイド要素（例えば後述の内側スリット６ｇ）を備え、
前記操作ボタンは、前記第１のガイド要素に対応した第２のガイド要素（例えば後述の位置合わせ・回転用のリブ４ｄ）および、作動モード設定操作に際しては前記保持部分から独立した形で移動し、前記回動操作に基づく連続作動モード設定後には当該保持部分に保持される被保持部分（例えば後述の凸状部４ｃ，突状部４ｅ）を備え、
前記基部および前記カバー体の一方に前記回動操作を阻止するための第１の規制要素（例えば後述の連結片５ｇ）を分離可能な形で設けるとともに、これらの他方に当該規制要素を受ける第２の規制要素（例えば後述の外側スリット６ｅ）を設け、
前記基部および前記カバー体の一方から前記第１の規制要素を分離してこれら相互間の回動操作阻止機能をなくすことにより、前記回動操作ができるようにする。
（２）上記（１）において、
前記基部は、前記容器側のマウンティングキャップ（例えば後述のマウンティングキャップ２）に嵌合する筒状部であり、
前記カバー体は、その操作ボタン保護用の内側筒状部（例えば後述の内側筒状部６ｂ）に前記第１のガイド要素としてのスリット状部分を有し、
前記操作ボタンは、その周面部分に前記第２のガイド要素としての片部および前記被保持部分としての突状部を有したものにする。
（３）上記（１），（２）において、
前記基部は、前記保持部分に続く案内部分（例えば後述の螺旋状カム面５ｅ，５ｅ’）を有し、
前記案内部分および前記被保持部分は、前記回動操作の際にカム作用を呈して当該操作ボタンを作動モード対応位置に移動させるものにする。
（４）上記（１），（２）において、
前記基部の保持部分および前記操作ボタンの被保持部分は、それぞれ係止面（例えば後述の係止用底面５ｋ，係止用上面４ｆ）であり、
前記係止面のそれぞれに続く斜面（例えば後述の基部テーパ面５ｊ，操作ボタンテーパ面４ｇ）を、前記回動操作の後で前記操作ボタンを押下げることにより被保持部分側斜面が保持部分側斜面を乗り越える態様で、形成したものにする。
（５）上記（１），（２）において、
前記基部の保持部分および前記操作ボタンの被保持部分は、それぞれ静止モード位置の当該操作ボタンを押下げた後で前記回動操作を行なうことにより当該被保持部分が当該保持部分に係止されるための、係止面（例えば後述の凸状部４ｃ上面部分，係止用段部５ｍ）を有したものにする。
【００１９】
以上の構成からなる連続作動モード設定機構や、この連続作動モード設定機構を備えたエアゾール式製品を本発明の対象としている。
【発明の効果】
【００２０】
本発明は、このように回動可能な形で容器側に取り付けられたカバー体を容器側とのいわゆるバージン部材によって回動不能状態に保持しておき、ガス抜きなどの連続作動モードを設定する場合、先ずこの部材を例えば切り取ってからの（通常の正立状態の）カバー体と容器側との間の回動操作に基づいて操作ボタンが作動モード対応位置に保持されるようにしているので、連続作動モード設定機能を有するカバー体のデザイン上の制約をなくすとともに、連続作動モードの設定操作における簡単化，確実化を図ることができる。
【発明を実施するための最良の形態】
【００２１】
図１乃至図５を用いて本発明を実施するための最良の形態を説明する。
【００２２】
これまでも繰り返し述べたように、本発明は、ガス抜きや内容物連続噴射といった連続作動モードの設定機構に関するものである。
【００２３】
この連続作動モード設定機構がガス抜きまたは内容物連続噴射の何れの状態で使用されているかということは、いわば利用者の意識の違いにすぎず、当該連続作動モード設定機構の動作メカニズム自体はいずれの使用状態でも同じである。
【００２４】
以下の説明では単なる説明の便宜上、必要に応じて、噴射用ガスを単に「ガス」と略記し、ガス抜きモードに設定する場合を前提とする。
【００２５】
なお、以下の「（噴射用）ガス」，「ガス抜き」の用語をそれぞれ「内容物」，「内容物連続噴射」に置き換えても個々の説明内容の妥当性が担保されるのは勿論である。
【００２６】
図１〜図３は、（回動操作阻止用の連結片を取り外して回動可能な）カバー体を回動操作することのみによって、ガス抜きモードに移行するガス抜きモード設定機構を示す説明図である。
【００２７】
なお、図１は通常の静止モード（連結片の取外し前）を示し、図２は回動操作後のガス抜きモードを示し、図３は図１におけるカバー体・操作ボタンと（容器側のマウンティングキャップに強く嵌合して回動しない態様の）筒状基部との関係を示している。
【００２８】
図４は、（回動操作阻止用の連結片を取り外して回動可能な）カバー体を回動操作した後で操作ボタンを押下げることによって、ガス抜きモードに移行するガス抜きモード設定機構における、連結片取外し前のカバー体・操作ボタンと筒状基部との関係を示す説明図である。
【００２９】
図５は、操作ボタンを押下げた状態で（回動操作阻止用の連結片を取り外して回動可能な）カバー体を回動操作することによって、ガス抜きモードに移行するガス抜きモード設定機構における、連結片取外し前のカバー体・操作ボタンと筒状基部との関係を示す説明図である。
【００３０】
なお、以下のアルファベット付き参照番号の構成要素（例えば通路部分４ａ）は原則として、当該参照番号の数字部分の構成要素（例えば操作ボタン４）の一部であることを示している。
【００３１】
図１〜図３において、
１は後述の内容物および噴射用ガスを収納したエアゾール式製品の容器本体，
２は容器本体１の開口端部側に取り付けられたマウンティングキャップ，
３はマウンティングキャップ２に取り付けられて周知のバルブ機構（図示省略）を収容するハウジング，
４はバルブ機構の構成要素である周知のステム（図示省略）に取り付けられて利用者の押圧操作に基づき上下動するタイプの操作ボタン，
４ａは内容物や噴射用ガスの通路部分，
４ｂは当該通路部分に続く噴射孔，
４ｃは当該操作ボタンの外周面下端部分に形成されたガス抜きモード設定保持用の一対の凸状部，
４ｄは当該操作ボタンの外周面の前後の部分にそれぞれ形成されて後述のカバー体６の回動操作（＝ガス抜きモードの設定操作）のときにこれと連動する一対の位置合わせ・回転用のリブ，
５はマウンティングキャップ２の内側環状凹部に強く嵌合して当該マウンティングキャップとの間で回動しないように設定された筒状基部，
５ａは当該筒状基部の外周面に形成されてマウンティングキャップ２の内側凹状部と嵌合する突状環部，
５ｂは天面側の環状鍔部，
５ｃは操作ボタン４を収容して上下動させるための開口域，
５ｄは当該開口域に操作ボタン４を上方からセットする際にその凸状部４ｃを案内して通過させる一対の凹状案内部（内周面の一部），
５ｅ，５ｅ’は当該凹状案内部の下端側から内周面周方向の（後述の水平状カム面も含めて略９０度にわたる）範囲にそれぞれ下り傾斜で形成された一対の螺旋状カム面，
５ｆは当該螺旋状カム面の下端側に続く一対の水平状カム面，
５ｇは環状鍔部５ｂから外方に延びる形で設けられて後述のカバー体６の回動操作を阻止するためのいわばバージンシール作用を呈する連結片，
５ｈは当該連結片と環状鍔部５ｂとの間の薄肉部分，
６はマウンティングキャップ２の外端環状部分と環状鍔部５ｂの下面端部分との間に回動可能な形で嵌合するカバー体，
６ａはガス抜きモード設定用の回動操作の際などに利用者が把持する外側筒状部，
６ｂは操作ボタン４を取り囲んで（当該操作ボタンの横方向断面形状が例えば楕円状の場合には）それと当該カバー体との位置関係を特定するための内側筒状部，
６ｃは外側筒状部６ａの内周面に形成された環状の嵌合用突状部，
６ｄは外側筒状部６ａの噴射孔４ｂとの対向部分に形成された噴射用外側開口部，
６ｅは外側筒状部６ａの下端側に縦方向に形成され、筒状基部５の連結片５ｇをその両側からいわば保持・拘束して（容器側の筒状基部５，マウンティングキャップ２に対する）当該カバー体の回動を阻止するための外側スリット，
６ｆは内側筒状部６ｂの噴射孔４ｂとの対向部分に形成された噴射用内側開口部，
６ｇは内側筒状部６ｂの下端側に縦方向に形成され、操作ボタン４のリブ４ｄを収容して静止モードと作動モードとの間における操作ボタン４の上下動を許容し、当該カバー体の回動操作の際には操作ボタン４を同じ方向に移動させるための一対の内側スリット，
Ａはガス抜きモードを設定する際の回動操作の方向，
Ｂはガス抜きモード設定操作にともなって操作ボタンが回動する方向，
をそれぞれ示している。
【００３２】
図４では操作ボタンおよび筒状基部に関して以下の新たな参照番号を用い、それ以外の構成要素については図１〜図３の参照番号をそのまま用いる。
【００３３】
すなわち図４において、
４(1)はガス抜きモード設定保持用の凸状部４ｃの部分が図１〜図３の操作ボタン４とは異なっている操作ボタン，
４ｅは当該操作ボタンの外周面下端部分に形成されたガス抜きモード設定保持用の一対の突状部，
４ｆは突状部４ｄの略水平状の係止用上面，
４ｇは係止用上面４ｆの外端部分から下り傾斜で内方に延びる操作ボタンテーパ面，
５(1)は螺旋状カム面５ｅ，５ｅ’の部分が図１〜図３の筒状基部５とは異なっている筒状基部，
５ｊは凹状案内部５ｄの底面と同じ厚み部分から内方への下り傾斜で周方向の略９０度にわたって形成された一対の基部テーパ面，
５ｋは基部テーパ面５ｊの下端部分から外方に続く略水平状の一対の係止用底面，
をそれぞれ示している。
【００３４】
図５では筒状基部に関して以下の新たな参照番号を用い、それ以外の構成要素については図１〜図３の参照番号をそのまま用いる。
【００３５】
すなわち図５において、
５(2)は螺旋状カム面５ｅ，５ｅ’の部分が図１〜図３の筒状基部５とは異なっている筒状基部，
５ｍは凹状案内部５ｄから水平状カム面５ｆと略上同じ高さで周方向の略９０度にわたって形成された一対の係止用段部，
をそれぞれ示している。
【００３６】
ここで、ハウジング３，操作ボタン４，４(1)，筒状基部５，５(1)，５(2)およびカバー体６などはポリプロピレン，ポリエチレン，ポリアセタール，ナイロン，ポリブチレンテレフタレートなどからなるプラスチック製のものである。
【００３７】
図１〜図５のガス抜きモード設定機構（その１〜３）のそれぞれに共通する基本的特徴は、通常の使用状態でも容器側に取り付けられたままであるカバー体６と容器本体１との間の相対的な回動操作を利用して、操作ボタン４，４(1)を作動モード対応位置に移動させて保持することである。
【００３８】
以下の記載では、単なる説明の便宜上、容器本体１に対してカバー体６を回動させる形の回動操作を前提とする。なお、回動操作に先立って筒状基部５，５(1)，５(2)の連結片５ｇを分離しなければならないことは勿論である。
【００３９】
図１〜図３のガス抜きモード設定機構（その１）の場合、静止モードのカバー体６を図示Ａ方向に回動操作するだけで操作ボタン４が作動モード対応位置に移動して保持される。すなわちエアゾール式製品はガス抜きモードに設定保持される。
【００４０】
また、図４のガス抜きモード設定機構（その２）の場合は例えば静止モードのカバー体６を時計方向（＝Ａ方向）に回動操作してから操作ボタン４(1)を下方に押し込むことにより、図５のガス抜きモード設定機構（その３）の場合は静止モードの操作ボタン４を下方に押し込んだ状態でカバー体６を時計方向（＝Ａ方向）に回動操作することにより、それぞれ操作ボタン４，４(1)が作動モード対応位置に移動して保持される。すなわちエアゾール式製品はガス抜きモードに設定保持される。
【００４１】
そして、いずれのガス抜きモード設定機構においてもそのガス抜きモードを解除する場合には、カバー体６を設定時とは逆方向に回動操作して元の位置まで戻せばよい。
【００４２】
なお、マウンティングキャップ２に取り付けた筒状基部５，５(1)，５(2)に対して操作ボタン４，４(1)およびカバー体６をセットするには、
(11)先ず、操作ボタン４，４(1)を、その一対の突状部４ｃ，４ｅと筒状基部５，５(1)，５(2)の一対の凹状案内部５ｄとをそれぞれ一致させながら開口域５ｃに入れて、当該操作ボタンの通路部分の上流側端部を周知のステム（図示省略）の出力端部分に結合させ、
(12)続いて、カバー体６を、その外側スリット６ｅと筒状基部５，５(1)，５(2)の連結片５ｇとを一致させ、またその一対の内側スリット６ｇと操作ボタン４，４(1)の一対のリブ４ｄとをそれぞれ一致させながら当該筒状基部に押し込んで、当該カバー体の嵌合用突状部６ｃを図１のように容器側に回動可能な状態で嵌合させればよい。
【００４３】
これにより操作ボタン４，４(1)は静止モード（図１参照）に設定される。このとき、カバー体６の内側筒状部６ｂの下端部分は筒状基部５，５(1)，５(2)の環状鍔部５ｂに略当接している。
【００４４】
また、各操作ボタンは周知のバルブ機構のコイルスプリング（図示省略）の作用により図面上方向の弾性力を受けて（当該バルブ機構で決まる）図示の位置で停止している。
【００４５】
図１はエアゾール式製品の静止モードを示している。ここで操作ボタン４を押し下げると、上記ステムが上記コイルスプリングの上方向への付勢力に抗しながら下動し、弁作用部（図示省略）が開状態となって作動モードに移行する。なお、このような静止モードから作動モードへの移行メカニズム自体は周知である。
【００４６】
その結果、容器本体の内容物は、上記ステム−通路部分４ａ−噴射孔４ｂの経路により外部空間に直接噴射される。利用者が押下げ操作を止めると、操作ボタン４および上記ステムは上記コイルスプリングの付勢力により静止モード位置へと復帰する。
【００４７】
操作ボタン４が静止モードと作動モードとの間で上下動するとき、その一対のリブ４ｄはそれぞれカバー体６の内側スリット６ｇの中を移動する。
【００４８】
以上の操作ボタン４の作動モードへの移行動作および静止モードへの復帰動作が図４および図５のガス抜きモード設定機構の場合にもあてはまることは勿論である。
【００４９】
図１〜図３のガス抜きモード設定機構の場合、静止モードにおける操作ボタン４の凸状部４ｃは、その天面が筒状基部５の螺旋状カム面５ｅ，５ｅ’の上端側の始まり部分よりも、少なくとも高くない状態になっている。
【００５０】
そのため、利用者が連結片５ｇを筒状基部５から取り外して（例えば当該連結片の外側への露出部分を引っ張るなどして薄肉部分５ｈを引き裂いて）カバー体６と容器側との拘束状態を解除した後で、当該カバー体６を図示のＡ方向に回動して操作ボタン４を同じ方向に連動させると、操作ボタン４は、その図１で示す凸状部４ｃが図３の螺旋状カム面５ｅに倣いながら下方向へ移動する。
【００５１】
すなわち操作ボタン４は、回動方向に対するリブ４ｄと内側スリット６ｇとのいわばロック作用によりカバー体６とともに回動しながら作動モード対応位置まで下動して、その上記凸状部４ｃが筒状基部５の（上記螺旋状カム面５ｅに続く）水平状カム面５ｆに安定的に保持された図２のガス抜きモードとなる。このときリブ４ｄは筒状基部５の嵌合鍔部５ｂの上面近くまで移動している。
【００５２】
ガス抜きモードでは、操作ボタン４が通常の作動モードと同じように、上記ステムを押し下げて上記弁作用部を開状態にするので容器本体１の残留ガスなどが上記経路により噴射孔４ｂから外部空間に放出される。
【００５３】
図２のガス抜きモードを解除するには、カバー体６をＡ方向とは逆の方向に少しだけ回動して、上記凸状部４ｃを、筒状基部５の水平状カム面５ｆから上記螺旋状カム面５ｅに移行させればよい。
【００５４】
操作ボタン４は、もともと上述のようにコイルスプリングから上方向への弾性力を受けているので、その上記凸状部４ｃが上記螺旋状カム面５ｅと当接したフリー状態にいったん遷移すると、（当該凸状部が）当該螺旋状カム面に沿いながら上方向に移動して略図１の静止モードまで自動復帰する。なお、凸状部４ｃが凹状案内部５ｄの位置まで自動復帰しない場合にはカバー体６をＡ方向とは逆の方向に回動すればよい。
【００５５】
図４のガス抜きモード設定機構の場合、静止モードにおける操作ボタン４(1)の凸状部４ｅと筒状基部５(1)との位置関係が、上述のように連結片５ｇを当該筒状基部から取り外した後でカバー体６を時計方向（＝図２のＡ方向）に回動したときに、当該凸状部の操作ボタンテーパ面４ｇがそれまでの凹状案内部５ｄから基部テーパ面５ｊとの対向状態にスムーズに移行できる形になっている。
【００５６】
そのため、連結片５ｇを筒状基部５(1)から取り外した状態で、
(21)先ずカバー体６（およびこれと連動する操作ボタン４）を任意の角度（図示の場合は略９０度以下の範囲）だけ時計方向に回動して操作ボタンテーパ面４ｇを基部テーパ面５ｊに対向させ、
(22)その後、操作ボタン４(1)を下方に押圧して操作ボタンテーパ面４ｇが基部テーパ面５ｊを乗り越えることにより、
操作ボタン４(1)は、その係止用上面４ｆが筒状基部５(1)の係止用底面５ｋに当接してガス抜きモードに保持される。この保持状態は上記コイルスプリングの上方向への付勢力によって確実に担保される。
【００５７】
なお、操作ボタンテーパ面４ｇが基部テーパ面５ｊを乗り越えるのはそれぞれ自らの弾性に抗するかたちで変形できるからである。乗り越えた後は自弾性力によって元の形状に復帰する。
【００５８】
図５のガス抜きモード設定機構の場合は連結片５ｇを筒状基部５(2)から取り外した状態で、
(31)先ず操作ボタン４を押し下げて凸状部４ｃが係止用段部５ｍよりも下方に位置するようにし、
(32)この押下げ状態のまま、カバー体６（およびこれと連動する操作ボタン４）を時計方向に回動することにより、
操作ボタン４は、その凸状部４ｃの上面が筒状基部５(2)の係止用段部５ｍに当接してガス抜きモードに保持される。この保持状態は上記コイルスプリングの上方向への付勢力によって確実に担保される。
【００５９】
図４および図５のガス抜きモード設定機構においてガス抜きモードを解除する場合は、カバー体６（およびこれと連動する操作ボタン４(1)，４）を先の回動操作時とは逆の反時計方向に回して、それぞれの突状部４ｅ（係止用上面４ｆ）および凸状部４ｃと筒状基部５(1)，５(2)それぞれの係止用底面５ｋおよび係止用段部５ｍとの係合状態を消失させればよい。
【００６０】
すなわち操作ボタン４(1)，４の突状部４ｅ，凸状部４ｃをそれぞれ筒状基部５(1)，５(2)の凹状案内部５ｄの部分まで戻して係止用底面５ｋ，係止用段部５ｍとの係合状態を解除することにより、上方向への移動が自由になった当該操作ボタンは上記コイルスプリングの付勢力により静止モード位置へ自動復帰する。
【００６１】
本発明が、図１〜図５に係るガス抜き機構（連続作動モード設定機構）に限定されないことは勿論である。
【００６２】
本発明の基本的特徴は、容器側との連結を解除した上でカバー体（およびこれと連動する操作ボタン）を容器側との間で相対的な回動操作を行なうことにより、操作ボタンを作動モード対応位置に保持する、すなわちガス抜きモードなどの連続作動モードを設定することである。
【００６３】
このように本発明は、カバー体および容器側の間の回動操作のときに当該カバー体と一対化するタイプの操作ボタンを対象としており、図示の上下動タイプの他、傾動タイプの操作ボタンなどにも適用可能である。
【００６４】
また、
(41)「一対の」と記載した上述の各構成要素として１個を含む任意の個数だけ設ける、
(42)凹形状と凸（突）形状との間の相対的作用を呈している上述の各構成要素の凹凸の形状関係を逆にする、
(43)操作ボタン４に螺旋状カム面および水平状カム面を設けて、筒状基部５に当該カム面に対応した倣い部を設ける、
(44)横方向の断面形状が「円」ではない例えば楕円状の操作ボタンを用いる場合に位置合わせ・回転用のリブ４ｄおよび内側スリット６ｇを設けないで、操作ボタンとそれを取り囲む筒状部とのそれぞれに位置合わせ・連動機能を持たせる、
(45)操作ボタン４，４(1)および筒状基部５，５(1)，５(2)を切断可能な連結部を介した一体成形部材として、当該筒状基部をマウンティングキャップ２に嵌合させた上で当該操作ボタンを押下げることにより、当該連結部が切断されて、当該操作ボタンが上記ステムに取り付けられた状態にする、
(46)あらかじめカバー体６に操作ボタン４，４(1)と筒状基部５，５(1)，５(2)を組み込んだ形のセット状態（筒状基部の環状鍔部５ｂがカバー体の嵌合用突状部６ｃに保持され、操作ボタンのリブ４ｄが筒状基部の上面に当接した状態）にして、この全体をマウンティングキャップ２の方に押し込むことにより当該筒状基部を当該マウンティングキャップの内側凹状部に勘合させ、さらには当該操作ボタンを押圧して上記ステムに取り付ける、
ようにしてもよい。
【００６５】
本発明が適用されるエアゾール式製品としては、洗浄剤，清掃剤，制汗剤，冷却剤，筋肉消炎剤，ヘアスタイリング剤，ヘアトリートメント剤，染毛剤，育毛剤，化粧品，シェービングフォーム，食品，液滴状のもの（ビタミンなど），医薬品，医薬部外品，塗料，園芸用剤，忌避剤（殺虫剤），クリーナー，消臭剤，洗濯のり，ウレタンフォーム，消火器，接着剤，潤滑剤などの各種用途のものがある。
【００６６】
容器本体に収納する内容物は、例えば、粉状物，油成分，アルコール類，界面活性剤，高分子化合物，各用途に応じた有効成分などである。
【００６７】
粉状物としては、金属塩類粉末，無機物粉末や樹脂粉末などを用いる。例えば、タルク，カオリン，アルミニウムヒドロキシクロライド（アルミ塩），アルギン酸カルシウム，金粉，銀粉，雲母，炭酸塩，硫酸バリウム，セルロース，これらの混合物などを用いる。
【００６８】
油成分としては、シリコーン油，パーム油，ユーカリ油，ツバキ油，オリーブ油，ホホバ油，パラフィン油，ミリスチン酸，パルミチン酸，ステアリン酸，リノール酸，リノレン酸などを用いる。
【００６９】
アルコール類としては、エタノールなどの１価の低級アルコール，ラウリルアルコールなどの１価の高級アルコール，エチレングリコールなどの多価アルコールなどを用いる。
【００７０】
界面活性剤としては、ラウリル硫酸ナトリウムなどのアニオン性界面活性剤、ポリオキシエチレンオレイルエーテルなどの非イオン性界面活性剤、ラウリルジメチルアミノ酢酸ベタインなどの両性界面活性剤、塩化アルキルトリメチルアンモニウムなどのカチオン性界面活性剤などを用いる。
【００７１】
高分子化合物としては、メチルセルロース，ゼラチン，デンプン，カゼインなどを用いる。
【００７２】
各用途に応じた有効成分としては、サリチル酸メチル，インドメタシンなどの消炎鎮痛剤、安息香酸ナトリウム，クレゾールなどの除菌剤、ヒレスロイド，ジエチルトルアミドなどの害虫忌避剤、酸化亜鉛などの制汗剤、カンフル，メントールなどの清涼剤、エフェドリン，アドレナリンなどの抗喘息薬、スクラロース，アスパルテームなどの甘味料、エポキシ樹脂，ウレタンなどの接着剤や塗料、パラフェニレンジアミン，アミノフェノールなどの染料，リン酸二水素アンモニウム，炭酸水素ナトリウム・カリウムなどの消火剤などを用いる。
【００７３】
さらに、上記内容物以外の、懸濁剤，紫外線吸収剤，乳化剤，保湿剤，酸化防止剤、金属イオン封鎖剤なども用いることができる。
【００７４】
エアゾール式製品における内容物噴射用ガスとしては、炭酸ガス，窒素ガス，圧縮空気，酸素ガス，希ガス，これらの混合ガスなどの圧縮ガスや、液化石油ガス，ジメチルエーテル，フロロカーボンなどの液化ガスを用いる。
【図面の簡単な説明】
【００７５】
【図１】通常の静止モード（連結片の取外し前）を示す説明図である。
【図２】図１に対応した回動操作のみで設定されるガス抜きモードを示す説明図である。
【図３】図１におけるカバー体・操作ボタンと（容器側のマウンティングキャップに強く嵌合して回動しない態様の）筒状基部との関係を示す説明図である。
【図４】（回動操作阻止用の連結片を取り外して回動可能な）カバー体を回動操作した後で操作ボタンを押下げることによって、ガス抜きモードに移行するガス抜きモード設定機構における、連結片取外し前のカバー体・操作ボタンと筒状基部との関係を示す説明図である。
【図５】操作ボタンを押下げた状態で（回動操作阻止用の連結片を取り外して回動可能な）カバー体を回動操作することによって、ガス抜きモードに移行するガス抜きモード設定機構における、連結片取外し前のカバー体・操作ボタンと筒状基部との関係を示す説明図である。
【符号の説明】
【００７６】
１：エアゾール式製品の容器本体
２：マウンティングキャップ
３：ハウジング
４：上下動タイプの操作ボタン
４ａ：通路部分
４ｂ：噴射孔
４ｃ：ガス抜きモード設定保持用の一対の凸状部
４ｄ：一対の位置合わせ・回転用のリブ
５：筒状基部
５ａ：突状環部
５ｂ：天面側の環状鍔部
５ｃ：開口域
５ｄ：一対の凹状案内部（内周面の一部）
５ｅ，５ｅ’：一対の螺旋状カム面
５ｆ：一対の水平状カム面
５ｇ：バージンシール作用を呈する連結片
５ｈ：薄肉部分
６：カバー体
６ａ：外側筒状部
６ｂ：内側筒状部
６ｃ：環状の嵌合用突状部
６ｄ：噴射用外側開口部
６ｅ：外側スリット
６ｆ：噴射用内側開口部
６ｇ：一対の内側スリット
Ａ：ガス抜きモードを設定する際の回動操作の方向
Ｂ：ガス抜きモード設定操作にともなって操作ボタンが回動する方向
【００７７】
（図４のみで使用）
４(1)：操作ボタン
４ｅ：ガス抜きモード設定保持用の一対の突状部
４ｆ：係止用上面
４ｇ：操作ボタンテーパ面，
５(1)：筒状基部，
５ｊ：一対の基部テーパ面
５ｋ：一対の係止用底面
【００７８】
（図５のみで使用）
５(2)：筒状基部，
５ｍ：一対の係止用段部
【図１】
2007284122.tif 000003
【図２】
2007284122.tif 000004
【図３】
2007284122.tif 000005
【図４】
2007284122.tif 000006
【図５】
2007284122.tif 000007